(57)【特許請求の範囲】
【請求項１】
ベース布部と、このベース布部と二重の関係になるように必要な段数だけベース布部の表側に設けられるフリル布部と、ベース布部とフリル布部を重ね織りにより結合した接結部と、フリル布部の接結部と反対側の先端から延在し、少なくともベース布部を貫通して隣接する次段以降の接結部に連結するように設けられる連結部とを備え、
この連結部６は、ベース布部の表側の部分を経糸のみとし、ベース布部の裏側の弛みを持たせている部分を経糸と緯糸で構成した
ことを特徴とするフリル付き織布。
【請求項２】
請求項１に記載のフリル付き織布において、
前記連結部における前記ベース布部の裏側の弛みを持たせている部分の前記緯糸を、前記経糸や前記ベース布部の色と異なる色としたことを特徴とするフリル付き織布。
【発明の詳細な説明】
【技術分野】
【０００１】
本発明は、フリル付きスカートやフリルつきブラウス等の製造に用いるフリル付き織布に関する。
【背景技術】
【０００２】
従来のこの種のフリル付き織布として、例えば下記特許文献１に示されるものがある。
図３は特許文献１に示される従来のフリル付き織布の要部側面図、図４はその斜視図で、図において１はベース布部、２はフリル布部、３は接結部、４は連結部であり、これらベース布部１、フリル布部２、接結部３、及び連結部４は、ジャカード織機やドビー織機等の織布製造装置により連続的かつ一体的に織り上げられている。
ここで、ベース布部１はスカートやブラウス等のベースとなる布部であり、またフリル布部２は飾りのフリルとなる布部で、このフリル布部２はベース布部１と二重の関係になるように必要な段数（枚数）だけベース布部１の表側に設けられる。
【０００３】
接結部３はベース布部１とフリル布部２を重ね織りにした部分で、この接結部３によりフリル布部２の一端はベース布部１に結合されている。また、接結部３には横糸に収縮性を有する糸としてウレタン糸が用いられている。このウレタン糸は伸ばして糊で固めたものが用いられ、横糸として織り込んだ後、糊を洗い落とすことで接結部３を収縮させることによりベース布部１及び各フリル布部２の接結部３側の部分に均等な間隔でギャザー５を作り出している。
【０００４】
連結部４は経糸のみで作られる部分であって、フリル布部２の接結部３と反対側の端部（以下先端）からベース布部１を貫通して隣接する次段（下段）の接結部３に連結するように設けられており、ベース布部１の裏側で弛みを持たせて鋏等の切断具が差し込めるようにしている。
【０００５】
図５はフリルを完成させる工程を示す要部側面図、上記のように織り上げたフリル付き織布の連結部４をベース布部１の裏側で弛みを持たせた部分に鋏等の切断具を差し込んで切断する。そして、切断後、フリル布部２を持ち上げると、図５に示したようにフリル布部２の先端はベース布部１から離れるので、フリル布部２の先端のほつれを防止するため、メローロック等の加工を施すことで、フリルが完成する。尚、接結部３側には連結部４の経糸が残るが、接結部３は重ね織により固く織り上げられているので、接結部３にほつれが生じる心配はない。
【先行技術文献】
【特許文献】
【０００６】
【特許文献１】特許第４５９８８８５号公報
【発明の概要】
【発明が解決しようとする課題】
【０００７】
しかしながら、上述した従来の技術においては、ベース布部１の裏側で連結部４に弛みを持たせることにより、連結部４に鋏等の切断具を差し込んで切断しやすいようにしているが、連結部４は経糸のみで作られるため、弛みを持たせてもベース布部１の裏側に張り付いてしまい、そのため切断具が差し込み難く、不用意に差し込むとベース布部１を傷付けて製品としての価値をなくしてしまうという問題がある。
本発明は、このような問題を解決することを課題とする。
【課題を解決するための手段】
【０００８】
そのため、本発明は、ベース布部と、このベース布部と二重の関係になるように必要な段数だけベース布部の表側に設けられるフリル布部と、ベース布部とフリル布部を重ね織りにより結合した接結部と、フリル布部の接結部と反対側の先端から延在し、少なくともベース布部を貫通して隣接する次段以降の接結部に連結するように設けられる連結部とを備え、この連結部６は、ベース布部の表側の部分を経糸のみとし、ベース布部の裏側の弛みを持たせている部分を経糸と緯糸で構成したことを特徴とする。
【発明の効果】
【０００９】
このようにした本発明によれば、連結部６は、ベース布部１の表側の部分を経糸６ａのみとし、ベース布部１の裏側の弛みを持たせている部分を経糸６ａと緯糸６ｂで構成するものとしているため、この緯糸６ｂの存在により、連結部６の弛みを持たせている部分がベース布部１の裏側に張り付かず、ベース布部１との間に隙間が確保されるため、切断具をスムーズに差し込んで、ベース布部１を傷つけることなく、連結部６の経糸６ａのみを確実に切断することが可能になるという効果が得られる。
【図面の簡単な説明】
【００１０】
【図１】第１の実施例を示す要部側面図
【図２】第１の実施例の適用例を示す要部側面図
【図３】従来例を示す要部側面図
【図４】従来例を示す要部斜視図
【図５】従来例のフリルを完成させる工程を示す要部側面図
【発明を実施するための形態】
【００１１】
以下、図面を参照して本発明によるフリル付き織布の実施例を説明する。
【実施例１】
【００１２】
図１は第１の実施例を示す部分拡大側面図で、図において１はベース布部、２はフリル布部、３は接結部であり、これらは従来と同様のものであるので、同一の符号で示している。
６は連結部で、フリル布部２の接結部３と反対側の端部（以下先端）から延在しベース布部１を貫通して隣接する次段（下段）の接結部３に連結するように設けられ、ベース布部１の裏側で弛みを持たせて鋏等の切断具が差し込めるようにしていることは従来の連結部４と同様であるが、本実施例の連結部６は、ベース布部１の表側の部分を経糸６ａのみとし、ベース布部１の裏側の弛みを持たせている部分を経糸６ａと緯糸６ｂで構成している。このベース布部１の裏側の弛みを持たせている部分の緯糸６ｂは、ベース布部１における緯糸の割合の三分の一（１／３）程度とする。緯糸６ｂは経糸６ａやベース布部１の色と異なる色のものを用いることが望ましい。
【００１３】
尚、本実施例の連結部６は、従来と同様にベース布部１、フリル布部２、及び接結部３と共に、ジャカード織機やドビー織機等の織布製造装置により連続的かつ一体的に織り上げられる。
このように織り上げたフリル付き織布は、連結部６のベース布部１の裏側で弛みを持たせた部分に鋏等の切断具を差し込んで経糸６ａを切断するが、この切断する部分は経糸６ａと緯糸６ｂで構成されていて、この緯糸６ｂが存在することで、ベース布部１の裏側に張り付いてしまうことがなく、ベース布部１との間に隙間が確保されるため、切断具をスムーズに差し込むことができ、経糸６ａのみを確実に切断することが可能になる。
【００１４】
切断後は、連結部６の緯糸６ｂを除去し、そしてフリル布部２を持ち上げると、フリル布部２の先端はベース布部１から離れるので（図５参照）、フリル布部２の先端のほつれを防止するため、メローロック等の加工を施すことで、フリルを完成させる。
【００１５】
以上説明したように第１の実施例によるフリル付き織布は、ベース布部１と、このベース布部１と二重の関係になるように必要な段数だけベース布部１の表側に設けられるフリル布部２と、ベース布部１とフリル布部２を重ね織りにより結合した接結部３と、フリル布部２の接結部３と反対側の先端から延在しベース布部１を貫通して隣接する次段の接結部３に連結するように設けられる連結部６とを備え、この連結部６は、ベース布部１の表側の部分を経糸６ａのみとし、ベース布部１の裏側の弛みを持たせている部分を経糸６ａと緯糸６ｂで構成するものとして、この緯糸６ｂの存在により、ベース布部１の裏側に連結部６が張り付かず、ベース布部１と連結部６の間に隙間が確保されるようにしているため、ベース布部１と連結部６との間の隙間切断具をスムーズに差し込んで、ベース布部１を傷つけることなく、連結部６の経糸６ａのみを確実に切断することが可能になるという効果が得られる。
【００１６】
また、連結部６のベース布部１の裏側の弛みを持たせている部分の緯糸６ｂを経糸６ａやベース布部１の色と異なる色とすることで、ベース布部１との間に隙間が確保される部位を容易に視認できるので、切断すべき部分を容易に確認できるという効果も得られる。
上述した第１の実施例は、フリル布部２の先端から延在しベース布部１を貫通して隣接する次段の接結部３に連結するように設けられる連結部６について説明したが、以下のようなフリル付き織布の連結部６にも適用可能である。
【００１７】
図２は第１の実施例の適用例を示す要部側面図で、この場合のフリル付き織布では、フリル布部２と連結部６が以下のように形成されている。すなわち、フリル布部２はベース布部１と二重の関係になるように必要な段数だけベース布部１の表側に設けられており、各フリル布部２の一端はベース布部１に結合され接結部３となっている。各フリル布部２の長さは次段の接結部３を覆える長さであり、各フリル布部２の先端から延在する連結部６は次段のフリル布部２の上から当該フリル布部２とベース布部１を貫通して次段の次の接結部３の一端に連結するように設けられるが、このような連結部６においても、ベース布部１の表側の部分を経糸６ａのみとし、ベース布部１の裏側の弛みを持たせている部分を経糸６ａと緯糸６ｂで構成することによって、第１の実施例と同様の作用、効果が得られる。
【符号の説明】
【００１８】
１    ベース布部
２    フリル布部
３    接結部
６    連結部
６ａ  経糸
６ｂ  緯糸
【図１】
0005513551.tif 000002
【図２】
0005513551.tif 000003
【図３】
0005513551.tif 000004
【図４】
0005513551.tif 000005
【図５】
0005513551.tif 000006